(57)【要約】【課題】  本発明は、キャビネットの下端より車輪を突出させて収納家具を移動し、また車輪をキャビネット内に沈ませ、キャビネットの下端を床面に接地させて収納家具を安定させる収納家具用キャスターを提供すること。【解決手段】  キャビネットにおける上げ底板の下面に固定する左右一対の固定フレームに、前後に車輪を設けた可動フレームを揺動可能に挿入し、且つ固定フレームの左右両側板と可動フレームの左右両側板とを平行リンクにより連結することにより、キャビネットの前方への傾斜により前後の車輪がキャビネットの下端より突出し、キャビネットの後方への傾斜により前後の車輪がキャビネット内に沈むように形成している。【選択図】      図１
2007112194.tif 000002
【特許請求の範囲】
【請求項１】
キャビネットにおける上げ底板の下面に固定する左右一対の固定フレームに、前後に車輪を設けた可動フレームを揺動可能に挿入し、且つ固定フレームの左右両側板と可動フレームの左右両側板とを平行リンクにより連結することにより、キャビネットの前方への傾斜により前後の車輪がキャビネットの下端より突出し、キャビネットの後方への傾斜により前後の車輪がキャビネット内に沈むように形成したことを特徴とする収納家具用キャスター。
【請求項２】
キャビネットにおける上げ底板の下面に固定する左右一対の固定フレームに、前後に車輪を設けた可動フレームを揺動可能に挿入し、且つ固定フレームの左右両側板と可動フレームの左右両側板とを平行リンクにより連結することにより、キャビネットの前方への傾斜により前後の車輪がキャビネットの下端より突出し、キャビネットの後方への傾斜により前後の車輪がキャビネット内に沈むように形成した収納家具用キャスターにおいて、前記左右の可動フレームを連結した連杆の中央部に、キャビネットの前面に突出する操作杆を固定したことを特徴とする収納家具用キャスター。
【発明の詳細な説明】
【技術分野】
【０００１】
本発明は、収納家具におけるキャビネットから車輪を突出させて収納家具を移動し、車輪をキャスター内に沈ませて収納家具を設置する収納家具用キャスターに関するものである。
【背景技術】
【０００２】
実開昭５６−９３３０５号公報には、キャビネットにおける上げ底板の下面に固定する軸受け枠の両側壁に一対の傾斜溝を形成し、この傾斜溝に車輪の回転軸を摺動自在に支持させ、キャビネットを前方に引き寄せたとき、キャビネット内に沈んでいた車輪がキャビネットの下端より突出し、キャビネットを停止したとき、キャビネットの重量により車輪がキャビネットの下端内に沈む装置が開示されている。しかしこの装置は、前方への移動は容易であるが、後方への移動が出来ないので、実用化は不可能である。
【０００３】
また実開昭５６−９３３０３号公報には、上記装置の欠点を解消するために、自在車輪を使用し、水平方向に自在に回転する軸受け枠の両側壁に一対の傾斜溝を形成し、この傾斜溝に車輪の回転軸を摺動自在に支持させ、キャビネットを前方に引いたり、キャビネットを後方に押したりしたとき、軸受け枠が反転すると共にキャビネット内に沈んでいた車輪がキャビネットより突出するようにした装置が開示されている。しかしこの装置は、キャビネットを引いたり押したりしてもキャビネットの重量により、キャビネットの下端が床面に密接し、軸受けを反転したり車輪を突出させることは不可能であり、従ってこの装置も実用化は不可能である。
【特許文献１】実開昭５６−９３３０５号公報
【特許文献２】実開昭５６−９３３０３号公報
【発明の開示】
【発明が解決しようとする課題】
【０００４】
本発明は、キャビネットの下端より車輪を突出させて収納家具を移動し、また車輪をキャビネット内に沈ませ、キャビネットの下端を床面に接地させて収納家具を安定させる収納家具用キャスターを提供しようとするものである。
【課題を解決するための手段】
【０００５】
本発明に係る請求項１の収納家具用キャスターは、キャビネットにおける上げ底板の下面に固定する左右一対の固定フレームに、前後に車輪を設けた可動フレームを揺動可能に挿入し、且つ固定フレームの左右両側板と可動フレームの左右両側板とを平行リンクにより連結することにより、キャビネットの前方への傾斜により前後の車輪がキャビネットの下端より突出し、キャビネットの後方への傾斜により前後の車輪がキャビネット内に沈むように形成したことを特徴としている。
【０００６】
この請求項１の収納家具用キャスターは、キャビネットにおける上げ底板の下面に左右一対の固定フレームを固定し、キャビネットを前方に傾斜させると、固定フレームに平行リンクで連結された可動フレームが、前側に移動して車輪がキャビネットの下端より突出する。そこで前方に傾斜しているキャビネットを元に戻すと車輪が床に接地し、キャビネットは床面から浮上する。そのためキャビネットを前方又は後方に容易に移動できるのである。このように車輪が床面に接地し、キャビネットが床面より浮上した状態においてキャビネットを後方に傾斜させると、可動フレームは後側に移動して車輪をキャビネット内に沈ませる。そこで後方に傾斜しているキャビネットを元に戻すとキャビネットの下端は床面に密接し、収納家具は安定する。
【０００７】
また請求項２の収納家具用キャスターは、キャビネットにおける上げ底板の下面に固定する左右一対の固定フレームに、前後に車輪を設けた可動フレームを揺動可能に挿入し、且つ固定フレームの左右両側板と可動フレームの左右両側板とを平行リンクにより連結することにより、キャビネットの前方への傾斜時に前後の車輪がキャビネットの下端より突出し、キャビネットの後方への傾斜時に前後の車輪がキャビネット内に沈むように形成した収納家具用キャスターにおいて、前記左右の可動フレームを連結した連杆の中央部に、キャビネットの前面に突出する操作杆を固定したことを特徴としている。
【０００８】
この請求項２の収納家具用キャスターは、キャビネットにおける上げ底板の下面に左右一対の固定フレームを固定し、操作杆の先端をキャビネットより突出させ、請求項１の場合と同様に、キャビネットを前方に傾斜させると、固定フレームに平行リンクで連結された可動フレームが、前側に移動して車輪をキャビネットの下端より突出する。そこで前方に傾斜しているキャビネットを元に戻すと、床面には車輪が接し、キャビネットは床から浮上するので、収納家具を前方又は後方に容易に移動できるのである。このように車輪が床面に接した状態においてキャビネットを後方に傾斜させると、可動フレームは後方に移動して車輪をキャビネット内に沈ませる。そこで後方に傾斜しているキャビネットを元に戻すとキャビネットの下端は床面に接地し、収納家具は安定する。
【０００９】
また車輪が床面に接触し、キャビネットが床面から浮上した状態において、キャビネットの前面に突出した操作杆を押し込むと、可動フレームは後方に移動して車輪がキャビネット内に沈むので、キャビネットの下端は床面に接地し、収納家具は安定する。
【発明の効果】
【００１０】
本発明に係る請求項１の収納家具用キャスターは、キャビネットを前方に傾斜させると、車輪がキャビネットの下端より突出してキャビネットが床面から浮上し、キャビネットを後方に傾斜させると、車輪がキャビネット内に沈み、キャビネットの下端が床面に密接するので、収納家具を容易に移動させることも、床面に容易に安定させることもできる。
【００１１】
また請求項２の収納家具用キャスターは、請求項１と同様に、キャビネットを前方に傾斜させることにより、車輪をキャビネットより突出させて収納家具を容易に移動させることができ、反対にキャビネットを後方に傾斜させることにより車輪をキャビネット内に沈ませ、床面へ容易に安定させることができる。しかも、キャビネットから車輪が突出した状態において操作杆を押し込むと、キャビネットの下端を床面に接地することができるので、例えば収納家具を壁面に沿って設置しようとする場合に、特に便利である。
【発明を実施するための最良の形態】
【００１２】
以下、本発明に係る請求項１の実施形態を図１〜図４を参照して詳細に説明する。図１は本発明に係る収納家具用キャスターの側面図、図２は同上正面図、図３及び図４は同上キャスターの作動状態を示す説明図である。
である。
【００１３】
符号１は収納家具におけるキャビネット２の底上げ板３の下面に固定する左右一対の金属製の固定フレームであり、前後両端及び下端が開口した形状をしている。符号４は前後及び下端が開口した形状の金属製の可動フレームであり、左右一対の固定フレーム１内に挿入し、平行リンク５により固定フレーム１に揺動自在に連結し、前後の内側に車輪６を軸着している。
【００１４】
上記平行リンク５は、上端を固定フレーム１の左右両側板７の前後に枢軸８により軸着し、下端を可動フレーム４の左右両側板９の前後に枢軸１０により軸着している。この枢軸１０は可動フレーム４の左右両側板９を貫通し、その突出端を固定フレーム１の左右両側板７に形成した円弧状のガイド溝１１を貫通して平行リンク５の下端に固定している。またガイド溝１１は枢軸８の下位にあって、その前端１１ａ及び１１ｂが上向きの円弧状であり、前端１１ａより後端１１ｂの方が高い位置にある。従って、ガイド溝１１の前端１１ａに枢軸１０が当接するときは、車輪６はキャビネット２より突出するが、ガイド溝１１の後端１１ｂに枢軸１０が当接するときは、車輪６はキャビネット２内に沈む。
【００１５】
図１、図２に示すように、キャビネット２における上げ底板３の下面に左右一対の固定フレーム１を固定し、図３（１）に示す接地状態において、図３（２）に示すようにキャビネット２の上端を前方に傾斜させるときは、可動フレーム４は自重により、枢軸１０がガイド溝１１の前端１１ａに達するまで前進して、車輪６をキャビネット２の下端より突出させる。傾斜したキャビネット２を元の状態に戻しても、可動フレーム３は前進した侭であり、車輪６の突出状態を保つため、図３（３）に示すように、車輪６が床面１２に接し、キャビネット２は床面１２より浮上して、収納装置を容易に走行し得る状態となる。
【００１６】
図４（１）に示すように、車輪６が床面１２に接し、キャビネット２が床面１２より浮上した状態において、図４（２）に示すようにキャビネット２の上端を後方に傾斜させるときは、可動フレーム４は自重により、枢軸１０がガイド溝１１の前端１１ａより高位置にある後端１１ｂに達するまで後退し、車輪６をキャビネット２内に沈ませる。後方に傾斜したキャビネット２を元に戻しても、可動フレーム４は後退した侭であり、車輪６がキャビネット２内に沈んだ状態を保つため、図４（３）に示すように、キャビネット２の下端が接地し、収納装置が安定した状態となる。
【００１７】
次に本発明に係る請求項２の実施形態を図５〜図９を参照して詳細に説明する。図５は本発明に係る収納家具用キャスターの側面図、図６は同上一部切欠き平面図、図７は同上要部の正面図、図８及び図９は同上収納家具用キャスターの動作順序を示す側面図である。
【００１８】
符号１〜１２は、前記実施形態の場合と同一のため、各部位の説明を省略する。符号１３は左右の可動フレーム４を連結した連杆であり、左右両端を可動フレーム４の側板９に回動可能に挿着している。符号１４は連杆１３の中央部に後端を連結した操作杆であり、その前端をキャビネット２の前板１５に穿設した縦長の透孔１６より前方に突出している。
【００１９】
図５〜図７に示すように、キャビネット２における上げ底板３の下面に左右一対の固定フレーム１を固定し、操作杆１４の前端をキャビネット２の前板１５に穿設した縦長の透孔１５より突出させる。図８（１）に示す状態において、図８（２）に示すように、キャビネット２の上端を前方に傾斜させるときは、可動フレーム４は枢軸１０がガイド溝１１の前端１１ａに達するまで前進して、車輪６をキャビネット２の下端より突出させると共に、操作杆１４を、やや突出させる。前方に傾斜したキャビネット２を元の状態に戻しても、可動フレーム３は前進した侭であり、車輪６の突出状態を保つため、図８（３）に示すように、車輪６が床面１２に接し、キャビネット２が床面１２より浮上して、収納装置を容易に走行し得る状態となる。
【００２０】
図９（１）に示す状態において、図９（２）に示すように、キャビネット２の上端を後方に傾斜させるときは、可動フレーム４は枢軸１０がガイド溝１１の前端１１ａより高位置にある後端１１ｂに達するまで後退し、車輪６をキャビネット２内に沈ませる。後方に傾斜したキャビネット２を元に戻しても、可動フレーム４は後退した侭であり、車輪６がキャビネット２内に沈んだ状態を保つため、図９（３）に示すように、キャビネット２の下端が接地し、収納装置が安定した状態となる。
【００２１】
また図９（１）に示す状態において、キャビネット２から突出している操作杆１４をキャビネット２側に押し込むと、図９（３）に示すように可動フレーム４が後退し、車輪６をキャビネット２内に沈め、収納家具を安定させる。
【図面の簡単な説明】
【００２２】
【図１】本発明に係る収納家具用キャスターの実施の形態を示す側面図である。
【図２】同上実施の形態の正面図である。
【図３】同上収納家具用キャスターの動作順序を示す側面図である。
【図４】同上収納家具用キャスターの動作順序を示す側面図である。
【図５】本発明に係る収納家具用キャスターの別の実施の形態を示す側面図である。
【図６】同上実施の形態の一部切欠き正面図である。
【図７】同上実施の形態の一部切欠き平面図である。
【図８】同上収納家具用キャスターの動作順序を示す側面図である。
【図９】同上収納家具用キャスターの動作順序を示す側面図である。
【符号の説明】
【００２３】
１        固定フレーム
２        キャビネット
３        上げ底板
４        可動フレーム
５        平行リンク
６        車  輪
７        固定フレームの左右両側板
８        平行リンクの上端の枢軸
９        可動フレームの左右両側板
１０      平行リンクの下端の枢軸
１１      ガイド溝
１１ａ    ガイド溝の前端
１１ｂ    ガイド溝の後端
１２      床  面
１３      連  杆
１４      操作杆
１５      前  板
１６      透  孔
【図１】
2007112194.tif 000003
【図２】
2007112194.tif 000004
【図３】
2007112194.tif 000005
【図４】
2007112194.tif 000006
【図５】
2007112194.tif 000007
【図６】
2007112194.tif 000008
【図７】
2007112194.tif 000009
【図８】
2007112194.tif 000010
【図９】
2007112194.tif 000011